(57)【要約】【課題】釣竿全体の重量バランスを機動的に調整可能な釣竿を提供する。【解決手段】この釣竿の元竿１の竿元側端部にはバランサ１０が収納されている。このバランサ１０は、本体部１１と、本体部１１の内部を周方向に複数の室に分割する部分であり且つ各複数の室の間を連通する連通孔１２ａを有する壁１２と、本体部１１内に収納された流動体１３とを有している。釣竿の周方向における態様に関わらず、流動体１３が本体部１１内を鉛直方向に移動し、元竿１の竿元側端部を鉛直方向に加重する。【選択図】　　図２
2004105007.tif 000002
【特許請求の範囲】
【請求項１】
魚釣りに用いる釣竿であって、
筒状の竿体と、
前記竿体の竿元側端部の筒状内部に配置された鉛直方向に加重するバランサとを備えた釣竿。
【請求項２】
前記バランサは、蓋付き筒型の本体部と、前記本体部の内部を周方向に複数の室に分割する部分であり且つ各前記複数の室の間を連通する連通孔を有する壁と、前記本体部内に収納された流動体とを有している、請求項１に記載の釣竿。
【請求項３】
前記バランサは周方向の一部に偏重した回転体であり、前記竿体の竿元側端部に周方向に回動自在に収納されている、請求項１に記載の釣竿。
【発明の詳細な説明】
【０００１】
【発明の属する技術分野】
本発明は、魚釣りに用いる釣竿に関する。
【０００２】
【従来の技術】
釣竿は、先細り筒状部材である竿体と、竿体の竿元側周面に設けられリールを脱着自在に装着可能なリールシートと、竿体上に間隔を隔てて配置された釣糸ガイドとを有している。そして、リールからの釣糸を順次釣糸ガイドを通じて穂先側に導いて釣りをおこなうことになる。
【０００３】
近年、釣竿の軽量化が図られて竿体自体の重さは比較的軽量化されてきている。しかし、この竿体の軽量化はリールと竿体との重量差を拡大するため、リールを竿体に装着した際の釣竿全体の重量バランスに釣人が違和感を覚える場合がある。そこで、竿体の竿元側端部等に釣人が錘を任意に装着して釣竿全体の重量バランスをとり得る釣竿が知られている。
【０００４】
このような重量バランスを採り得る釣竿としては、元竿の竿元側端部内にコイン状の錘を任意に釣人が挿入できるようにしたもの（特許文献１参照）や、元竿の竿元側端部内の任意の装着穴にバレット状の錘を挿入可能としたものなどがある（特許文献２参照）。
しかし、これらの釣竿は釣りの状況に応じて機動的に釣竿全体のバランスを十分に採り得るものではない。例えば、釣竿に装着するリールとしてはスピニングリール，両軸リールが知られているが、それぞれのリールを装着する場合で釣竿の使用時における周方向位置は異なる。このような場合、上記特許文献１の釣竿では周方向のバランスを十分に採り得ない。上記特許文献２の釣竿ではリールの種類毎にバランサの装着位置を変更する必要が生じ機動性に欠ける。
【０００５】
【特許文献１】
特開２００１―２６９０８４号公報（第３頁，図２）。
【０００６】
【特許文献２】
特開２００１−２６９０８８号公報（第３頁，図３）。
【０００７】
【発明が解決しようとする課題】
本発明の課題は、釣竿全体の重量バランスを機動的に調整可能な釣竿を提供することにある。
【０００８】
【課題を解決するための手段】
発明１の釣竿は、魚釣りに用いる釣竿であって、筒状の竿体と、竿体の竿元側端部の筒状内部に配置された鉛直方向に加重するバランサとを備えている。
この釣竿では、釣人が、例えば、スピニングリールをリールシートに装着してリールシート側を地面方向に向けて使用する場合でも、両軸リールをリールシートに装着してリールシート側を上空方向に向けて使用する場合でも、何れにせよ、竿体の竿元側端部のバランサが鉛直方向に加重する。釣竿の使用態様に於ける周方向位置に関わらず、釣人に最も近い竿体の竿元側端部が鉛直方向に加重されることで、釣竿の操作が円滑になる。
【０００９】
発明２の釣竿は、発明１の釣竿であって、バランサは、蓋付き筒型の本体部と、本体部の内部を周方向に複数の室に分割する部分であり且つ各複数の室の間を連通する連通孔を有する壁と、本体部内に収納された流動体とを有している。
この釣竿では、竿体が何れの周方向をとっていても、バランサ内の流動体が重力に従って連通孔を通じて、その際に鉛直方向に位置する室に流れ込んで鉛直方向に加重している。このような流動体としては、液体，砂状物，ゲル等が例示できる。壁により本体部内を複数の室に区分して、流動体の急激な周方向における変位を抑えている。
【００１０】
発明３の釣竿は、発明１の釣竿であって、バランサは周方向の一部に偏重した回転体であり、竿体の竿元側端部に周方向に回動自在に収納されている。
この釣竿では、竿体が何れの周方向をとっていても、竿体内部でバランサが周方向に回転し、その偏重された側を鉛直方向に向けて鉛直方向に加重する。
【００１１】
【発明の実施の形態】
［第１実施形態］
以下、本発明の第１実施形態について図面を参照しつつ説明する。
本発明の第１実施形態を採用した釣竿は、図１に示すように、元竿１と、元竿１の穂先側に連結される穂先竿２とを連結してなるものである。元竿１の穂先側端部に嵌着部分を設け、ここに穂先竿２の竿元側端部が挿入されいわゆる並継ぎ形式で２つの竿体は連結されている。この元竿１は、竿元側端部に配置されたグリップ３と、グリップ３の穂先側に設けられリール（図示せず）を装着可能なリールシート４と、竿元側端部に脱着自在に装着される尻栓５とを有している。また、元竿１の竿元側端部内にはバランサ１０が収納されている（図２等参照）。
【００１２】
元竿１，穂先竿２は、それぞれ炭素繊維やガラス繊維に合成樹脂を含浸させたプリプレグをマンドレルに巻回して焼成して得られた先細り筒状部材である。これらの元竿１及び穂先竿２には釣糸を挿通可能な釣糸ガイド６が所定の間隔を隔てて複数設けられている。そして、リールからの釣糸は順次釣糸ガイド６を通って穂先側に導かれることになる。
【００１３】
グリップ３は、天然ゴム，スチレンゴムやブタジエンゴム等の合成ゴム，ＥＶＡ樹脂またはコルク等の木材からなる円筒型部材であって、元竿１の所定の位置にはめ込まれて接着材等で固定されている。また、リールシート４は元竿１の所定の位置に合成樹脂または金属製部材を射出成型したものであり、リールの脚部を脱着自在に固定可能である。釣糸ガイド６は金属製のフレームにセラミックス等からなるガイドリングを装着したものであり、巻糸などで巻回され各竿体の所定の軸方向位置の周面に周方向においてガイドリングがリールシート４と合致するように装着されている。
【００１４】
図２及び図３に示すように、元竿１の竿元側端部内取面には雌ねじ部材７が接着剤等によって装着されており、この雌ねじ部材７に内面に尻栓５の雄ねじ部分が脱着自在に装着されている。そして、この雌ねじ部材７の穂先側に隣接する元竿１の竿元側内にバランサ１０が配置されている。バランサ１０は係合突起を設ける等して所定の元竿１内の位置に脱着自在に装着するか、若しくは接着剤等によって所定の元竿１内の位置に固定される。
【００１５】
このバランサ１０は、このような蓋付き円筒型の本体部１１と、本体部１１の内部を周方向に複数の室に分割する壁１２と、本体部１１内に収納されている流動体１３とからなる。
本体部１１は、軸方向両端が蓋で閉塞された合成樹脂等から構成される円筒型部材である。一方の蓋は脱着式に若しくは別途形成後に一体的に形成される。一方の蓋を脱着式にする場合には、例えば、ねじ式に蓋を装着することなどが考えられる。この場合には、流動体１３が漏れないようにゴムリングを装着する等の手当が必要となる。
【００１６】
壁１２は、例えば、円筒状の本体部１１内部の空間を周方向に６等分するように軸方向に延びており、その軸方向両端は本体部１１の両蓋に当接している。詳しくは、図３に示すように、壁１２は軸方向断面視において断面中心より放射状に広がっている。壁１２によって本体部１１内部の空間を等分する数は任意に設定可能であるが、各室毎の容積と流動体１３の周方向移動の必要性等を鑑みるに、４〜８室程度に本体部１１の内部の空間を等分するのが好ましい。また、この壁１２にはそれぞれ各室を連通するための連通孔１２ａが設けられている。図３においては、この連通孔１２ａが矩形で軸方向に間隔を隔てて２カ所ずつ形成されているが、これに限定されるものではなく、その形状は円形等でもよく、その設置する数も任意で足りる。
【００１７】
流動体１３は液体，砂状物，ゲル等を任意に選択して用いる。比重を高めた水溶液や液状金属等を用いると、一周方向に加重する効率が向上する。また、流動体１３は、本体部１１の内部の室の全体積の２０〜５０％程度の量とするのが好ましい。
このようなリールシート４にリールを装着して用いる釣竿では、例えば、釣人がスピニングリールをリールシート４に装着する場合には、リールシート４側を地面方向に向けて使用することになる。一方、釣人がリールシート４に両軸リールを装着する場合には、リールシート４側を上空方向に向けて使用することになる。何れの場合においても、元竿１の竿元側端部内に収納されているバランサ１０が元竿１の竿元側端部を鉛直方向に加重する。
【００１８】
即ち、元竿１が何れの周方向をとっていても、バランサ１０内の流動体１３は、重力に従って壁１２の連通孔１２ａを通じて、その際に鉛直方向に位置する室に流れ込んで鉛直方向に元竿１の竿元側端部を加重する。特に、壁１２により流動体１３が急激に周方向において変位することもない。釣竿は左右上下に動かしながら使用されるものであるので、急激な流動体１３の変位を抑え、不当なモーメントが生じないようになっている。
【００１９】
このように、釣竿の使用態様に於ける周方向位置に関わらず、釣人に最も近い元竿１の竿元側端部が鉛直方向に加重されることで、釣竿の操作が円滑になる。
［第２実施形態］
以下、本発明の第２実施形態を説明する。
本発明の第２実施形態を採用した釣竿は、第１実施形態と同様に、元竿２１と、元竿１の穂先側に連結される穂先竿（図示せず）とからなる。この元竿２１は、図４に示すように竿元側端部内周面に直接雌ねじ部分２１ａが形成されており、ここに尻栓５が脱着自在に装着されている。
【００２０】
元竿２１の雌ねじ部分２１の穂先側に隣接する内部には、バランサ２２が周方向に回転自在に収納されている。バランサ２２の穂先側に隣接する元竿２１の内部にはストッパ２３が固定されており、バランサ２２は、尻栓５とストッパ２３とに軸方向において挟まれて軸方向位置が決められている。
バランサ２２は、金属等の比重の比較的大きな素材から構成される円柱型の部材である。円柱型における周方向の半分が軸方向にくり抜かれて中空化されており、周方向の残り半分が中実である。なお、この実施形態においてはバランサ２２の周方向の半分を中空化しているが、これに限定されるものではない。
【００２１】
その他の部分については上記第１実施形態と同様であり、説明を省略する。
このようなバランサ２２を備える釣竿でも、上記第１実施形態と同様に、元竿１が何れの周方向をとっていても、元竿１の竿元側端部内部でバランサ２２が周方向に回転し、その中実化された周方向に於いて偏重された側を鉛直方向に向ける。そして、釣竿の使用態様に関わらず、常に元竿１の竿元側端部を鉛直方向に加重して、釣竿全体のバランスをとる。
【００２２】
［他の実施形態］
周方向の一部に偏重したバランサとしては、その他、図５に示すように、円筒型の本体部４１の内部において、その周方向の一部に錘４２を収納するようなものであってもよい。また、バランサの竿体内での周方向回転を円滑化するために、バランサの本体部４１の外周面に複数の回転用突起４３を形成して、摺動抵抗を低減させるようなことも考えられる。
【００２３】
【発明の効果】
本発明にかかる釣竿によれば、釣竿全体のバランスを良好に調整できる。
【図面の簡単な説明】
【図１】本発明の第１実施形態を採用した釣竿の全体図。
【図２】図１の元竿１の竿元側付近の拡大断面図。
【図３】図２のバランサ１０の断面図。
【図４】本発明の第２実施形態を採用した元竿２１の竿元側付近の拡大断面図。
【図５】本発明の他の実施形態を採用したバランサを示した図。
【符号の説明】
１　元竿
２　穂先竿
１０，２２バランサ
１１　本体部
１２　壁
１３　流動体
【図１】
2004105007.tif 000003
【図２】
2004105007.tif 000004
【図３】
2004105007.tif 000005
【図４】
2004105007.tif 000006
【図５】
2004105007.tif 000007